(57)【要約】【課題】複数のユーザによって共有される情報端末が持つ電話機の留守録機能に対しメッセージ登録を行う場合、１回の通話で複数ユーザの中からユーザを指定した個別メッセージを残す機能と、記録した個別メッセージが指定したユーザにのみ再生許可されるような留守録機能が必要である。【解決手段】留守録機能によるメッセージ記録中であっても、発信側情報端末から指定される再生許可ユーザ指定および再生制御情報を受け付け、メッセージに関連付けて保持する手段を設け、メッセージの再生時には保持した再生制御情報に則って再生を制限して処理する手段を設ける。【選択図】図４
2010245653.tif 000002
【特許請求の範囲】
【請求項１】
ネットワークを介して外部と情報の入出力を行う情報端末であって、
ネットワークを介した情報の入出力を制御する通信制御部と、
前記通信制御部を介して入力された映像又は音声の情報を記録する記録部と、
前記通信制御部と前記記録部とを制御する制御部とを有し、
前記記録部は前記情報端末の複数のユーザを示す情報を記録し、
前記制御部は、前記記録部に記録された複数のユーザを示すＩＤ情報及び前記記録部に記録する映像又は音声の情報の再生の制御に用いられる再生制御情報を前記通信制御部を介して出力し、前記通信制御部から入力される映像又は音声の情報、ＩＤ情報、及び再生制御情報とを対応付けて前記記録部に記録し、前記記録部に記録された映像又は音声の情報を再生する場合は、当該映像又は音声の情報に対応付けて記録されたＩＤ情報及び再生制御情報に基づいて当該映像又は音声の情報を再生する情報端末。
【請求項２】
請求項１の情報端末であって、
前記再生制御情報は、前記記録部に記録された映像又は音声の情報のうち音声の情報を出力するよう制御する情報を含む情報端末。
【請求項３】
請求項１の情報端末であって、
前記制御部は、前記通信制御部に前記記録部に記録したＩＤ情報と異なるＩＤ情報が入力されると、その後に入力される映像又は音声の情報、当該ＩＤ情報、及び再生制御情報とを対応付けて記録する情報端末。
【請求項４】
請求項１〜３のいずれかの情報端末であって、
前記制御部は、前記ＩＤ情報を映像情報として前記通信制御部を介して出力する情報端末。
【請求項５】
ネットワークを介して外部と情報の入出力を行う情報処理方法であって、
ネットワークを介して複数のユーザを示すＩＤ情報及び記録する映像又は音声の情報の再生の制御に用いられる再生制御情報を出力する情報出力ステップと、
ネットワークを介して映像又は音声の情報、ＩＤ情報、及び再生制御情報を入力する入力ステップと、
前記入力ステップで入力される映像又は音声の情報、ＩＤ情報、及び再生制御情報とを対応付けて記録する記録ステップと、
前記記録ステップで記録された映像又は音声の情報を再生する場合は、当該映像又は音声の情報に対応付けて記録されたＩＤ情報及び再生制御情報に基づいて当該映像又は音声の情報を再生する再生ステップとを有する情報処理方法。
【請求項６】
請求項５の情報処理方法であって、
前記再生制御情報は、前記記録ステップで記録された映像又は音声の情報のうち音声の情報を出力するよう制御する情報を含む情報処理方法。
【請求項７】
請求項５の情報処理方法であって、
ネットワークを介して前記記録ステップで記録したＩＤ情報と異なるＩＤ情報が入力されると、その後に入力される映像又は音声の情報、当該ＩＤ情報、及び再生制御情報とを対応付けて記録するステップとを有する情報処理方法。
【請求項８】
請求項５〜７のいずれかの情報処理方法であって、
前記情報出力ステップにおいて、前記ＩＤ情報を映像情報として前記通信制御部を介して出力する情報処理方法。
【発明の詳細な説明】
【技術分野】
【０００１】
技術分野は、音声及び映像の記録再生装置に係り、特に留守録機能を有する電話機器及び、テレビ電話機器に関するものである。ここで、「留守録」とは、電話機器のユーザが着信を受けた際に不在である場合や、着信に応答できなかった場合等に、相手先からのメッセージを録音又は録画することをいう。
【背景技術】
【０００２】
特許文献１には、「個人のプライバシーを守ることが可能な留守録メッセージ再生機能を有する留守番電話機の提供」（特許文献１［０００４］参照）を目的とし、その解決手段として例えば「発信側で着信側からの不在メッセージに従ってコードをダイヤルしてから送られた留守録メッセージを録音し、録音内容を再生する際に予めコード別に登録してあるパスワードを入力することにより該当する留守録メッセージのみを再生可能とする手段を備えたこと」（特許文献１［０００５］参照）が記載されている。
【先行技術文献】
【特許文献】
【０００３】
【特許文献１】特開平１０−２５７１６４号公報
【発明の概要】
【発明が解決しようとする課題】
【０００４】
電話機に搭載される留守録機能は、着信側電話機が自動着信を行い発信側の音声情報の録音を行うものであり、後に録音された音声情報を再生して聞く機能を提供している。しかし、一般に提供されている留守録機能の録音されている音声情報に対する再生操作は制約無くできるため、複数ユーザによって共有される電話機においては、録音内容が他のユーザによって容易に再生され聞かれてしまう等、個人的内容に関するやり取りには不向きであるという問題があった。
【０００５】
この問題に対して特開平１０−２５７１６４号公報では、電話機に複数ユーザ登録とパスワード設定、および発信側で留守録登録時に再生許可を与えるユーザ指定が出来るようにし、再生許可を与えられたユーザのみが留守録内容を再生出来るようにすることで、個人的な内容の録音にも配慮した留守録機能を提供することを提案している。
【０００６】
しかし、１回の通話あたり１コードへの留守録しか考慮されていないため、複数の相手それぞれにメッセージを残したい場合や、留守録に残したいメッセージの一部に特定ユーザに向けた内容があった場合には、複数回に分けて留守録登録を行う必要がある。そこで、本発明では、１回の通話で複数のユーザを特定する留守録機能や、ユーザを特定する留守録と特定しない留守録とを混在させることができる機能を提供することを課題とする。
【課題を解決するための手段】
【０００７】
上記課題を解決するために、本発明の一実施の態様は、例えばネットワークを介して複数のユーザを示すＩＤ情報及び記録する映像又は音声の情報の再生の制御に用いられる再生制御情報を出力する情報出力ステップと、ネットワークを介して映像又は音声の情報、ＩＤ情報、及び再生制御情報を入力する入力ステップと、前記入力ステップで入力される映像又は音声の情報、ＩＤ情報、及び再生制御情報とを対応付けて記録する記録ステップと、前記記録ステップで記録された映像又は音声の情報を再生する場合は、当該映像又は音声の情報に対応付けて記録されたＩＤ情報及び再生制御情報に基づいて当該映像又は音声の情報を再生する再生ステップとを有するように構成する。
【発明の効果】
【０００８】
上記手段によれば、ユーザにとって使い勝手の良い情報端末を提供することができる。例えば、１回の通話で複数の相手それぞれに対して留守録のメッセージを残したり、ユーザを特定する留守録と特定しない留守録とを混在させたりすることが可能となる。
【図面の簡単な説明】
【０００９】
【図１】実施例１の情報端末間の接続例を示す図である。
【図２】実施例１の情報端末の構成の一例を示す図である。
【図３】実施例１の情報端末に記録されているユーザ登録情報の一例を示す図である。
【図４】実施例１の情報端末が留守録機能を実行する場合の動作フローの一例を示す図である。
【図５】実施例１で留守録登録されたメッセージの一例を示す図である。
【図６】実施例１で留守録登録されたメッセージに設定されている再生制御情報の一例を示す図である。
【図７】実施例１で留守録登録されているメッセージを再生する場合の動作フローの一例を示す図である。
【図８】実施例２の映像ガイド情報の表示の一例を示す図である。
【図９】実施例２の映像ガイド情報の表示の一例を示す図である。
【発明を実施するための形態】
【００１０】
以下、本発明の実施例を説明する。
【実施例１】
【００１１】
まず、実施例１の説明で用いる図について説明する。
【００１２】
図１に本発明の実施例１に係る情報端末の一般的な接続例について図示する。図１において、情報端末１００は同様の情報端末１０１と通信網１０２に接続されている。図示していないが、一般的な電話やIP電話などでは通信網１０２上に電話交換機などの情報端末間の接続を行う機器が接続されることになる。
【００１３】
図２に情報端末１００の内部構成について図示する。通信制御部２１０は通信網１０２を介して他の情報端末と相互通信するための通信制御を行う部分である。CPU２１１は情報端末１００全体を制御する部分であり、プログラムを処理することにより電話機能、留守録機能やその他の付加機能を実行することができる。
【００１４】
RAM２１２はCPU２１１がプログラムを処理するときに使用する一時的記憶装置部である。記憶装置部２１３は、CPU２１１が実行処理するプログラム、情報端末を使用するユーザに関する情報、留守録機能における音声・映像・再生制御情報などの保存に利用する。
【００１５】
入力制御部２１４は、マイクロフォン２１７によって取得した音声情報やカメラ２１８によって取得した映像情報、ユーザによって入力された押下ボタン情報などの取得入力情報を制御する部分であり、これらの情報はバス２１６を介して他の制御部に送る。出力制御部２１５は、バス２１６によって接続された他の制御部により送られてくる情報を処理する部分であり、音声情報に関してはスピーカ２２０を用いて音として出力したり、映像情報に関してはデコードしてモニタ２２１を用いて映像出力したりする制御を行う。
【００１６】
図３は記憶装置部２１３に保存している情報端末１００を使用するユーザに関する情報であり、ユーザは登録されたIDの値によって管理され留守録機能でのユーザ指定やパスワード認証などに使用される。ID３００は本実施例で情報端末１００を使用する登録ユーザを識別するためのIDを登録する部分であり、識別するための値を格納している。名前３０１は、ID３００を割り当てたユーザの名前などを登録する部分であり、メニュー選択や使用者を示す表示などに使用する。IDの「０００」は、登録の有無に係らず制限を加えないことを意味し、パスワードなどの設定も無い。
【００１７】
パスワード３０２には、ID３００に登録しているユーザが留守録の再生を行う場合などに登録ユーザであることを確認するために使用するパスワード情報が登録されている。認証コード３０３は、パスワード３０２の値以外に、例えばカメラ２１８で取り込んだユーザの顔情報を元に顔識別を行う際の認証に用いる情報(コード)等を保存しておく拡張データ領域である。
【００１８】
図４は本実施例１で留守録機能の処理を行う場合の動作フローを記載している。
【００１９】
図５は本実施例１で録音・録画されたメッセージの例であり、１回の通話で記録された＃１メッセージはメッセージデータ５０１とメッセージデータ５０２の２つのメッセージで構成されている。
【００２０】
図６は図５の＃１メッセージが記録される際に同時に記録されたメッセージデータ５０１とメッセージデータ５０２に関する再生制御情報である。
＜記録時の留守録機能の動作＞
次に、実施例１において情報端末１００の留守録機能が音声・映像の記録を行う例について、図４を用いて説明する。
【００２１】
ステップ４００では、CPU２１１が記憶装置部２１３よりプログラムをロードし、実行することで電話機能の発信および受信が可能な待機状態になっている。情報端末１０１より情報端末１００に向けて発信処理が行われると、通信制御部２１０は通信網１０２からその情報を受け、CPU２１１へ着信要求が発生した事を知らせる。この要求を受けて処理はステップ４００からステップ４０１へ移行する。
【００２２】
ステップ４０１では、通信制御部２１０が通信網１０２から受信した着信要求がCPU２１１にバス２１６を介して通知され、CPU２１１が出力制御部２１５を介してスピーカ２２０を用いて音を出したり、モニタ２２１に着信情報を表示したりしてユーザに着信要求を通知する処理を行う。そして、ユーザが受話器をあげるなどの応答操作をすれば通話処理（ステップ４０２）へ、留守録による記録処理を行う場合は、留守録のための処理ステップ（ステップ４０３）へ移行する。留守録機能が動作を開始する条件としては、電話機の留守録機能をオンにした状態で着信要求が所定の期間経過する間にユーザによる着信操作が行われなかった場合に動作を開始するようにしてもよいし、留守録機能がオフであっても所定の期間を過ぎても着信要求が継続した場合には動作を開始させるようにしてもよい。この所定の期間は端末で予め定められていてもよいし、ユーザにより設定されてもよい。本実施例では留守録機能のオン・オフに関わらず留守録機能が動作した場合について説明をする。
【００２３】
ステップ４０２では、一般的な発信側情報端末と受信側情報端末による音声および映像における通話処理を行い、受話器を置くなどの通話終了が確定するとステップ４０７へ移行する。
【００２４】
ステップ４０３では、発信側情報端末１０１に対して、留守録機能による音声・映像の記録を行うか否かの選択を要求するための音声ガイダンスを通知する処理を行う。発信側情報端末１０１より通話が切れた場合や、音声・映像の記録を行わない選択がされた場合は留守録処理を行わず、ステップ４０７に移行する。通話が継続された場合や、音声・映像の記録を行う選択がされた場合は、留守録の処理を開始し、ステップ４０４へ移行する。なお、音声・映像の記録を行わない選択がされた場合は、通話を終了するよう発信側情報端末１０１へ通知するようにしてもよい。
【００２５】
ステップ４０４では、発信側の情報端末１０１に対して受信側情報端末１００に登録されているIDの情報を音声ガイダンスとして通知、更に登録する音声・映像情報の再生許可を与えるIDや再生制御情報を選択するように通知する。なお、受信側情報端末１００のユーザにとっては各ＩＤが何に対応するか知ることは困難であるため、図３に示したＩＤ３００に対応する名前３０１を通知するようにしてもよい。
【００２６】
本実施例では、IDとして「０００」を選択する場合、すなわち「全員」を選択する場合には発信側情報端末１０１で「＃０００」とボタンを押下し、再生制御情報として音声・映像の再生を許可する通知をする場合には「＃０１０１」とボタンを押下し、音声のみの再生を許可する通知をする場合には「＃０１０２」とボタンを押下するものとし、その旨を受信側情報端末１００に対して通知する。
【００２７】
発信側情報端末１０１が制限無く再生許可を与える図３のID３００が「０００」の値を持つ登録を選択するための「＃０００」コードと、音声・映像の再生許可を与える再生制御情報「＃０１０１」コードを送信してきた場合には、登録済みIDとして「０００」が存在することを確認したうえで、図６のメッセージ６００の＃１・５０１に再生制御情報６０１として再生制御情報を記憶装置部２１３に保存し、ステップ４０５に移行する。
【００２８】
図６の再生制御情報６０１では、再生制限を行わない場合、すなわち情報端末１００のユーザ全員を示すID「０００」に対して音声・映像の再生許可を与えた記録が行われるので、その他のIDに対しても再生を許可する情報が記録されている。受信側情報端末１００に登録されていないID値が発信側情報端末１０１より通知された場合は該当ＩＤが無いことを通知して、再度IDの送信を促す音声ガイダンスを流すようにしてもよい。
【００２９】
ステップ４０５では、発信側情報端末１０１から受信する音声・映像情報を記憶装置部２１３へ記録する処理を行い、メッセージ記録中に通話が終了あるいは発信側情報端末からの新たなIDの通知を受けた場合には、ステップ４０６に移行する。
【００３０】
ステップ４０６では、途中で新たな再生許可設定をするためのID値が発信側情報端末１０１より送信されてきた場合、ID値の受信に伴いステップ４０４へ移行し、ステップ４０５からの処理移行の理由が通話の終了ならステップ４０７へ移行する。この時点で記録された発信側情報端末１０１から受信した音声・映像の記録メッセージは図５に図示するメッセージ５０１である。
【００３１】
本実施例でステップ４０６から移行した場合のステップ４０４での処理について説明する。ステップ４０６では、メッセージ記録中に発信側情報端末１０１より受信した情報が、再生許可を与えるIDとして「＃００２」と「＃００３」が通知され、さらに「＃００２」には音声だけの再生を許可する「＃０１０２」が通知された場合について説明を継続する。受信したIDが情報端末１００では登録済みであることを確認した後、図６に示す再生制御情報６０２として再生制御情報を記録装置部２１３へ保存し、ステップ４０５に移行する。再生制御情報６０２では、IDが「００２」の登録に対しては音声のみ再生許可を与え、IDが「００３」の登録に対しては音声・映像の再生が許可され、その他のIDに対しての再生は不許可となる設定で保存されている。
【００３２】
ステップ４０５では、発信側情報端末１０１から受信する音声・映像情報を記憶装置部２１３へ随時記録する処理を行い、発信側情報端末１０１からの通知が切れた時点で記録を終了し、ステップ４０６へ処理を移行する。この時点で記録された発信側情報端末１０１から受信した音声・映像の記録メッセージは図５に図示するメッセージ５０２である。
【００３３】
ステップ４０７では、留守録機能に関する処理を終了し、情報端末１００を電話機能の発信・受信待機状態へ移行させる。
【００３４】
以上、図４の動作フローの説明によって、記憶装置部２１３に発信側情報端末１０１から受信した音声・映像を記録したメッセージが図５の＃１に示されるメッセージ５０１、メッセージ５０２として記録されると共に、各メッセージに対する再生制御情報が図６のように記録される。
＜再生時の留守録機能の動作＞
次に記録装置部２１３に記録されている図５の＃１のメッセージの再生について、図７の動作フローを用いて説明する。
【００３５】
ステップ７００では、記録済みメッセージの再生処理を開始する処理であり、記憶装置部２１３に記録しているメッセージ再生のためのプログラムをロードして実行を開始する。
【００３６】
ステップ７０１では、情報端末１００のボタン２１９を使用して再生対象とする登録済みIDの入力を要求する。CPU２１１は入力制御部２１４を介してボタン２１９からの入力値を受信し、記憶装置部２１３に保存されている図３の登録済みIDに該当IDが存在するか確認する。
【００３７】
該当IDがある場合にはパスワードの入力に進み、入力されたパスワードがIDに対応した設定済みパスワードと一致するか判定する。入力IDとパスワードの組み合わせが一致しない場合は再生処理のためのステップ７０２へは移行しない。一致した場合はステップ７０２へ処理を移行する。
【００３８】
ステップ７０２では、再生対象として入力されたIDが「００２」であった場合について説明する。再生処理は記憶装置部２１３の図６の再生制御情報を読み出し、IDが「００２」に対しては＃１メッセージのメッセージ５０１は音声・映像の再生が許可され、メッセージ５０２については音声のみの再生が許可されていると判断する。
【００３９】
次に記憶装置部２１３から図５に示すメッセージ５０１の読み出しを行い再生開始する。CPU２１１は再生音声に関しては出力制御部２１５を介してスピーカ２２０から出力させ、再生映像に関しては出力制御部２１５を介してモニタ２２１へ出力させる。メッセージ５０１の再生が終了したらメッセージ５０２の読み出しを行い再生開始する。メッセージ５０２に関しては映像の再生は許可されていないため、再生音声は出力制御部２１５を介してスピーカ２２０に出力するが、再生映像に関しては出力の処理は行わない。メッセージ５０２の再生が終了したらステップ７０３へ移行する。なお、本実施例では、再生が許可されていない場合は出力の処理を行わない例について説明したが、再生が許可されていない場合でも記憶装置部２１３に記録してある指定の映像・音声を再生することも可能である。
【００４０】
ステップ７０３では、本実施例では次のメッセージは保存されていないためステップ７０４へ移行して再生処理を終了する。
【００４１】
その他、ステップ７０１で入力されたIDの値によって再生が異なることを示しておく。IDが「０００」と「００１」の場合はメッセージ５０１のみの音声・映像が再生される。IDが「００３」の場合はメッセージ５０１、メッセージ５０２の両方で音声・映像が再生される。
【００４２】
以上説明したように、実施例１の情報端末１００の留守録機能を用いると、発信側情報端末は１回の通話中に行う留守録メッセージの登録中に、再生許可を与えるIDと再生制御情報を受信側情報端末に送信することで、メッセージの任意区間毎に再生許可を与えるID(登録ユーザ)やその再生方法を切り替えた留守録を残すことが可能となる。
【００４３】
また、留守録を再生する場合には、留守録メッセージを登録した際の再生制御情報が保存されているので、パスワード解除できるID登録者のみに指定した再生制御情報を用いて留守録のメッセージを再生してもらうことが可能となる。
【００４４】
この結果、複数のユーザによって共有される電話機の留守録機能でありながら発信側は電話共有者全員に向けたメッセージを登録しつつ、再生相手を特定するようなプライベートな留守録内容の登録も１回の通話中に混在させる事が可能となる。
【００４５】
なお、本実施例ではメッセージ５０１とメッセージ５０２の２つのメッセージを残す例について説明したが、図４のフローに基づいて３つ以上のメッセージを残すことも可能である。
【実施例２】
【００４６】
実施例２は、実施例１の留守録機能が、発信側情報端末が映像を扱うTV電話機能より発信された場合に、使い勝手を向上させる処理を行う場合について説明する。
【００４７】
実施例１の留守録機能を説明した図４の動作フローでは、ステップ４０４の処理において発信側情報端末１０１に再生許可を与えるIDや再生制御方法の選択を通知するのに音声ガイダンスを使用していた。
【００４８】
実施例２では、発信側情報端末１０１がTV電話であり映像の受信再生機能がある場合には、受信側情報端末１００は音声によるガイダンスの他に映像によるガイド情報を送信する。実施例１の図４の動作フロー、ステップ４０４での音声ガイダンス通知処理時に、映像によるガイド情報を送信した場合の発信側情報端末１０１のモニタ２２１に表示される画面の一例を図８、図９に示す。
【００４９】
図８は、図４のステップ４０４において受信側情報端末１００が発信側情報端末１０１へ留守録機能により登録する音声・映像情報に対して再生許可を与えるIDを指示するように通知する場合の映像ガイド情報画面であり、図３の名前３０１に示すユーザ情報を用いるなど、IDの指定方法に関する記述を加え、発信側情報端末１０１がモニタ２２１を見ながら操作できるように考慮している。
【００５０】
また、図９は図４のステップ４０４において受信側情報端末１００が発信側情報端末１０１より受信したIDに対して、再生制御情報を指示するように通知する場合の映像ガイド情報画面である。
【００５１】
これらの映像ガイド情報は受信側情報端末１００のCPU２１１によって作成され、通信制御部２１０を用いて通信網１０２を介して、発信側情報端末１０１へ送信される。情報端末１００と同様の内部構成を持つ情報端末１０１では、通信網１０２から通信制御部２１０を介してCPU２１１が取得した映像ガイド情報は、出力制御部２１５を介してモニタ２１１に出力され、図８や図９の映像を発信側情報端末１０１で見ることができる。
【００５２】
以上説明したように、実施例２では、発信側の情報端末がTV電話機能を持ち映像の再生機能を有していた場合、受信側情報端末が留守録機能に関する操作ガイダンスに音声以外に映像の情報を送信することにより、受信側情報端末では操作ガイダンスの映像を見ながら留守録機能を使用できるようになり、複雑な留守録機能に対して操作が容易になる環境を作ることができる。
【００５３】
また、発信側の発信番号など発信側の情報端末から通知されの情報や受信側の情報端末の設定によって、上記の操作ガイダンスを表示させなかたり、一部の表示のみといった制限を加えることも可能である。
【符号の説明】
【００５４】
１００    受信側情報端末
１０１    送信側情報端末
１０２    通信網
２１０    通信制御部
２１１    CPU
２１２    RAM
２１３    記憶装置部
２１４    入力制御部
２１５    出力制御部
２１６    バス
２１７    マイクロフォン
２１８    カメラ
２１９    ボタン
２２０    スピーカ
２２１    モニタ
【図１】
2010245653.tif 000003
【図２】
2010245653.tif 000004
【図３】
2010245653.tif 000005
【図４】
2010245653.tif 000006
【図５】
2010245653.tif 000007
【図６】
2010245653.tif 000008
【図７】
2010245653.tif 000009
【図８】
2010245653.tif 000010
【図９】
2010245653.tif 000011